(57)【要約】【課題】シューズＳを着用者の足にぴったり合うようにして、かつ、着用者がシューズＳによる圧迫感を感じないようにする。【解決手段】ソール構造１は、第１ソール本体１２と、第１ソール本体１２より後部に設けられた第１連結部１３と、を有する第１ソール部１０と、第１ソール部１０よりも後方に配置され、第２ソール本体２２と、第２ソール本体２２より前部に設けられた第２連結部２３と、を有する第２ソール部２０と、上下方向に沿うように設けられ、第１連結部１３および第２連結部２３を連結する連結軸３０と、を備えている。第１ソール部１０および第２ソール部２０のいずれか一方は、連結軸３０を中心として他方に対し足幅方向に回動可能となっている。【選択図】図５
2020156790.tif 000002
【特許請求の範囲】
【請求項１】
シューズ用のソール構造であって、
第１ソール本体と、前記第１ソール本体より後部に設けられた第１連結部と、を有する第１ソール部と、
前記第１ソール部よりも後方に配置され、第２ソール本体と、前記第２ソール本体より前部に設けられた第２連結部と、を有する第２ソール部と、
上下方向に沿うように設けられ、前記第１連結部および前記第２連結部を連結する連結軸と、を備え、
前記第１ソール部および前記第２ソール部のいずれか一方は、前記連結軸を中心として他方に対し足幅方向に回動可能となっている、ソール構造。
【請求項２】
請求項１に記載のソール構造であって、
前記第１ソール部および前記第２ソール部が互いに当接することにより、前記連結軸を中心として回動する範囲が制限されるストッパ機構をさらに備えている、ソール構造。
【請求項３】
請求項１または２に記載のソール構造であって、
前記第１連結部および前記第２連結部の少なくとも一方は、足長方向に延びる第１長孔部を有し、
前記連結軸は、前記第１長孔部にスライド可能に連結されている、ソール構造。
【請求項４】
請求項１〜３のいずれか１項に記載のソール構造であって、
前記第１連結部および前記第２連結部の少なくとも一方は、足幅方向に延びる第２長孔部を有し、
前記連結軸は、前記第２長孔部にスライド可能に連結されている、ソール構造。
【請求項５】
請求項２に記載のソール構造であって、
前記第１連結部および前記第２連結部のいずれか一方は、平面視で前記連結軸の位置から足幅方向に離間した位置に配置されかつ上下方向に突出する突起部を有し、
前記第１連結部および前記第２連結部のいずれか他方は、前記第１ソール部または前記第２ソール部が回動することにより前記突起部をガイドするガイド部を有し、
前記第１ソール部または前記第２ソール部は、前記突起部が前記ガイド部の両端部と当接して、回動する範囲が制限されるように構成されている、ソール構造。
【請求項６】
請求項１〜５のいずれか１項に記載のソール構造であって、
前記第１連結部に設けられた第１アームと、
前記第２連結部に設けられた第２アームと、を更に備え、
前記連結軸は、第１連結軸と、第２連結軸と、第３連結軸と、を含み、
前記第１アームの一端部は、前記第１連結軸を中心として前記第１連結部に回動可能に連結され、
前記第２アームの一端部は、前記第２連結軸を中心として前記第２連結部に回動可能に連結され、
前記第１アームの他端部および前記第２アームの他端部の各々は、前記第３連結軸を中心として回動可能に連結され、
前記第１ソール部および前記第２ソール部のいずれか一方は、前記各連結軸を中心として他方に対し足幅方向に回動可能となっており、かつ、他方に対し足長方向に移動可能となっている、ソール構造。
【請求項７】
請求項１〜６のいずれか１項に記載のソール構造であって、
前記第１連結部および前記第２連結部は、互いに上下方向に重なった状態で連結され、
前記第１ソール部および前記第２ソール部は、前記第１連結部および前記第２連結部が上下方向に重なった状態を維持しながら、いずれか一方が他方に対して足幅方向に回動するように構成されている、ソール構造。
【請求項８】
請求項１〜７のいずれか１項に記載のソール構造を備えるシューズ。
【発明の詳細な説明】
【技術分野】
【０００１】
本発明は、ソール構造およびそれを備えたシューズに関するものである。
【背景技術】
【０００２】
従来より、シューズを着用した者（以下「着用者」という）の足を支持するためのソール構造として、例えば特許文献１のようなソール構造が提案されている。
【０００３】
特許文献１に開示されているソール構造は、つま先部分と、中間部分と、かかと部分とを備えており、中間部分は上下方向に貫通形成された複数の開口部を有している。この中間部分は、複数の開口部によりその長さが変化するように弾性的に可撓性とされている。そして、つま先部分およびかかと部分の各々は、中間部分に対し縦方向（すなわち足長方向）に相対的に変位可能となっている。このような構成によって、着用者は、このソール構造を備えたシューズのサイズを調整できるようになっている。
【先行技術文献】
【特許文献】
【０００４】
【特許文献１】特表２００８−５１７６９９号公報
【発明の概要】
【発明が解決しようとする課題】
【０００５】
ところで、人の足は、その足長方向の長さのみならず足幅方向の形状も異なっている。このため、足幅方向の形状の違いも考慮して様々な足の形状に対応できるようにすれば、着用者は自分の足の形状にぴったり合うシューズを探す必要がなく、便利である。
【０００６】
このことから、特許文献１のようにしてソール構造を変形可能とすることで、シューズを着用者の足の形状に追従させることが考えられる。
【０００７】
しかし、特許文献１のものでは、ソール構造の中間部分は弾性を有しており、着用者の足の形状に追従して変形しても元の形状に戻るような復元力がはたらく。すると、この復元力が、アッパーを介して着用者の足を圧迫し、着用者を不快にするという問題がある。
【０００８】
本発明は斯かる点に鑑みてなされたものであり、その目的は、シューズを着用者の足にぴったり合うようにし、かつ、着用者がシューズによる圧迫感を感じないようにすることにある。
【課題を解決するための手段】
【０００９】
前記の目的を達成するために、本発明の第１の形態は、シューズ用のソール構造であって、第１ソール本体と、第１ソール本体より後部に設けられた第１連結部と、を有する第１ソール部と、第１ソール部よりも後方に配置され、第２ソール本体と、第２ソール本体より前部に設けられた第２連結部と、を有する第２ソール部と、上下方向に沿うように設けられ、第１連結部および第２連結部を連結する連結軸と、を備えている。そして、第１ソール部および第２ソール部のいずれか一方は、連結軸を中心として他方に対し足幅方向に回動可能となっていることを特徴とする。
【００１０】
この第１の形態では、第１ソール部および第２ソール部のいずれか一方が、連結軸を中心として他方に対し足幅方向に回動可能となっている。このため、例えば、着用者の足がシューズの形状と比較して足幅方向に大きく曲がった形状を有する場合、着用者がシューズを履いたときに、着用者の足の形状に応じて第１ソール部または第２ソール部が回動する。このため、ソール構造は着用者の足の形状に抵抗なく追従する。従って、第１の形態によれば、シューズが着用者の足にぴったり合うようになり、かつ、着用者がシューズによる圧迫感を感じないようにすることができる。
【００１１】
第２の形態は、第１の形態において、第１ソール部および第２ソール部が互いに当接することにより、前記連結軸を中心として回動する範囲が制限されるストッパ機構をさらに備えていることを特徴とする。
【００１２】
この第２の形態では、連結軸を中心として回動する範囲を制限するストッパ機構を備えているので、第１ソール部または第２ソール部が回動する範囲が制限される。このため、シューズが安定して履きやすくなる。また、ストッパ機構は、第１ソール部および第２ソール部が互いに当接することにより回動する範囲を制限するので、構成がシンプルである。従って、第２の形態によれば、シンプルな構成によって、着用者がシューズを快適に履くことができる。
【００１３】
第３の形態は、第１または第２の形態において、第１連結部および第２連結部の少なくとも一方は、足長方向に延びる第１長孔部を有し、連結軸は、第１長孔部にスライド可能に連結されていることを特徴とする。
【００１４】
この第３の形態では、連結軸が、足長方向に延びる第１長孔部にスライド可能に連結されているので、第１ソール部および第２ソール部のいずれか一方は、他方に対して足長方向に移動可能となっている。このため、ソール構造は、第１ソール部または第２ソール部が連結軸を中心に回動することに加え、足長方向に移動するので、より動きの自由度が高く、着用者の足の形状に抵抗なく追従する。従って、第３の形態によれば、シューズが着用者の足にぴったり合うようになり、かつ、着用者がシューズによる圧迫感を感じないようにすることができる。
【００１５】
第４の形態は、第１〜第３のいずれか１つの形態において、第１連結部および第２連結部の少なくとも一方は、足幅方向に延びる第２長孔部を有し、連結軸は、第２長孔部にスライド可能に連結されていることを特徴とする。
【００１６】
この第４の形態は、連結軸が、足幅方向に延びる第２長孔部にスライド可能に連結されているので、第１ソール部および第２ソール部のいずれか一方は、他方に対して足幅方向に移動可能となっている。このため、ソール構造は、第１ソール部または第２ソール部が連結軸を中心に回動することに加え、足幅方向に移動するので、より動きの自由度が高く、着用者の足の形状に抵抗なく追従する。従って、第４の形態によれば、シューズが着用者の足にぴったり合うようになり、かつ、着用者がシューズによる圧迫感を感じないようにすることができる。
【００１７】
第５の形態は、第２の形態において、第１連結部および第２連結部のいずれか一方は、平面視で連結軸の位置から足幅方向に離間した位置に配置されかつ上下方向に突出する突起部を有し、第１連結部および第２連結部のいずれか他方は、第１ソール部または第２ソール部が回動することにより突起部をガイドするガイド部を有し、第１ソール部または第２ソール部は、突起部がガイド部の両端部と当接して、回動する範囲が制限されるように構成されていることを特徴とする。
【００１８】
この第５の形態は、第１ソール部または第２ソール部が回動することにより、ガイド部が突起部をガイドする。そして、突起部がガイド部の両端部と当接する。すなわち、ガイド部の両端部が突起部と当接してストッパとなり、第１ソール部または第２ソール部の回動する範囲が制限されるので、第５の形態は第２の形態のストッパ機構の具体的な形態の１つである。このストッパ機構によって、シューズが安定して履きやすくなる。従って、第５の形態によれば、シンプルな構成によって、着用者がシューズを快適に履くことができる。
【００１９】
第６の形態は、第１〜第５のいずれか１つの形態において第１連結部に設けられた第１アームと、第２連結部に設けられた第２アームと、を更に備え、連結軸は、第１連結軸と、第２連結軸と、第３連結軸と、を含み、第１アームの一端部は、第１連結軸を中心として第１連結部に回動可能に連結され、第２アームの一端部は、第２連結軸を中心として第２連結部に回動可能に連結され、第１アームの他端部および第２アームの他端部の各々は、第３連結軸を中心として回動可能に連結され、第１ソール部および第２ソール部のいずれか一方は、各連結軸を中心として他方に対し足幅方向に回動可能となっており、かつ、他方に対し足長方向に移動可能となっていることを特徴とする。
【００２０】
この第６の形態は、第１アームの一端部が第１連結軸を中心として第１連結部に回動可能に連結され、第２アームの一端部が第２連結軸を中心として第２連結部に回動可能に連結され、さらに、第１アームおよび第２アームの他端部の各々が、第３連結軸を中心として回動可能に連結されている。このため、第１ソール部および第２ソール部のいずれか一方は、他方に対して３つの連結軸を中心として回動可能となっている。また、第１アームの第１連結軸を中心とした回動、第２アームの第２連結軸を中心とした回動、ならびに第１アームおよび第２アームの第３連結軸を中心とした回動の少なくとも一つによって、第１ソール部および第２ソール部のいずれか一方は、他方に対して足長方向に移動可能となっている。このように、第１ソール部または第２ソール部が１つの連結軸のみを中心に回動可能な構成と比較してより自在に変形できるようになり、動きの自由度が高く、着用者の足の形状に抵抗なく追従する。従って、第６の形態によれば、シューズが着用者の足にぴったり合うようになり、かつ、着用者がシューズによる圧迫感を感じないようにすることができる。
【００２１】
第７の形態は、第１〜第６のいずれか１つの形態において、第１連結部および第２連結部は、互いに上下方向に重なった状態で連結され、第１ソール部および第２ソール部は、第１連結部および第２連結部が上下方向に重なった状態を維持しながら、いずれか一方が他方に対して足幅方向に回動するように構成されていることを特徴とする。
【００２２】
この第７の形態は、第１ソール部または第２ソール部が、第１連結部および第２連結部が上下方向に重なった状態を維持しながら回動する。このため、第１ソール部または第２ソール部が互いに足幅方向に回動した状態であっても、第１ソール部と第２ソール部との間に隙間が生じにくくなる。このため、路面または地面から異物や水などが浸入しにくくなる。従って、第７の形態によれば、着用者が安全かつ快適にシューズを着用することができる。
【００２３】
第８の形態は、第１〜第７の形態のいずれか１つのソール構造を備えたシューズであることを特徴とする。
【００２４】
この第８の形態では、第１〜第７の形態と同様の作用効果を奏するシューズを得ることができる。従って、第８の形態によれば、着用者は、足にぴったり合い圧迫感のないシューズを、安全かつ快適に履くことができる。
【発明の効果】
【００２５】
以上説明したように、本発明によると、シューズが着用者の足にぴったり合うようになり、かつ、着用者がシューズによる圧迫感を感じないようにすることができる。
【図面の簡単な説明】
【００２６】
【図１】図１は、実施形態１に係るソール構造を備えたシューズの全体を示す斜視図である。
【図２】図２は、実施形態１に係るソール構造を備えたシューズを内甲側から見て示す側面図である。
【図３】図３は、実施形態１に係るソール構造の平面図である。
【図４】図４は、図３のIV−IV断面図である。
【図５】図５は、第１ソール部が第２ソール部に対して足幅方向に回動したときのソール構造の状態を示す平面図である。
【図６】図６は、実施形態２に係るソール構造を示す図３相当図である。
【図７】図７は、図６のVII−VII断面図である。
【図８】図８は、第１ソール部が第２ソール部に対して足長方向に移動したときのソール構造の状態を示す平面図である。
【図９】図９は、図８のIX−IX断面図である。
【図１０】図１０は、実施形態２に係るソール構造の変形例を示す拡大平面図である。
【図１１】図１１は、図１０のXI−XI断面図である。
【図１２】図１２は、第１ソール部が第２ソール部に対して足長方向に移動したときのソール構造の状態を示す拡大平面図である。
【図１３】図１３は、第１ソール部が第２ソール部に対して足幅方向に移動したときのソール構造の状態を示す拡大平面図である。
【図１４】図１４は、実施形態３に係るソール構造を示す図３相当図である。
【図１５】図１５は、第１ソール部が第２ソール部に対して内甲側に回動したときのソール構造の状態を示す図である。
【図１６】図１６は、第１ソール部が第２ソール部に対して外甲側に回動したときのソール構造の状態を示す図である。
【図１７】図１７は、実施形態４に係るソール構造の第１アームおよび第２アームの第１状態を示す拡大平面図である。
【図１８】図１８は、実施形態４に係るソール構造の第１アームおよび第２アームが第１状態と第２状態の間にある状態を示す拡大平面図である。
【図１９】図１９は、実施形態４に係るソール構造の第１アームおよび第２アームの第２状態を示す拡大平面図である。
【発明を実施するための形態】
【００２７】
以下、本発明の実施形態を図面に基づいて詳細に説明する。以下の実施形態の説明は、本質的に例示に過ぎず、本発明、その適用物あるいはその用途を制限することを意図するものではない。
【００２８】
＜実施形態１＞
図１〜図３は、本発明の実施形態１に係るソール構造１およびそれを備えたシューズＳを示している。このシューズＳは、例えばランニング用や各種競技用のスポーツシューズ、日常使用のスニーカーおよびリハビリ用シューズとして使用される。
【００２９】
ここで、シューズＳは、右足用シューズのみを例示している。左足用シューズは、右足用シューズと左右対称になるように構成されているので、以下の説明では右足用シューズのみについて説明し、左足用シューズの説明は省略する。
【００３０】
また、以下の説明において、上側および下側とはシューズＳの上下方向の位置関係を表し、前方（前側）および後方（後側）とはシューズＳの足長方向（前後方向）の位置関係を表し、内甲側（左側）および外甲側（右側）とはシューズＳの足幅方向（左右方向）の位置関係を表すものとする。
【００３１】
図１〜図５に示すように、この実施形態において、ソール構造１は、足長方向において２つの部材に分割されている。具体的に、ソール構造１は、第１ソール部１０と第２ソール部２０とを備えている。
【００３２】
（第１ソール部）
第１ソール部１０は、例えば、シューズＳを着用した者（以下「着用者」という）の足の前足部から中足部に亘る範囲に対応して配設されている。
【００３３】
第１ソール部１０は、第１アウトソール部１１を有している。第１アウトソール部１１は、後述する第１ソール本体１２および第１連結部１３よりも高硬度の硬質弾性部材で構成されている。具体的に、第１アウトソール部１１は、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。
【００３４】
第１ソール部１０は、第１ソール本体１２を有している。第１ソール本体１２は、第１アウトソール部１１の上側に積層配置されている。第１ソール本体１２は、軟質の弾性材により構成されている。具体的に、第１ソール本体１２は、例えばエチレン−酢酸ビニル共重合体（ＥＶＡ）等の熱可塑性樹脂やその発泡体、ポリウレタン（ＰＵ）等の熱硬化性樹脂やその発泡体、ブタジエンラバーやクロロプレンラバー等のラバー素材やその発泡体などが適している。
【００３５】
第１ソール本体１２の上面は、着用者の足裏において前足部から中足部に亘る範囲を支持するための足裏支持面の一部として構成されている。
【００３６】
図１〜図５に示すように、第１ソール部１０は、第１連結部１３を有している。第１連結部１３は、第１ソール本体１２と同じ材料から構成されている。あるいは、第１連結部１３は、第１ソール本体１２と異なる材料により構成されていてもよい。第１連結部１３は、第１ソール本体１２の後部に設けられている。第１連結部１３は、第１ソール本体１２と一体形成されている。第１連結部１３は、後述する第２連結部２３の下方に配置されている。第１連結部１３は、第１ソール本体１２と同様に、第１アウトソール部１１の上側に積層配置されている。
【００３７】
第１連結部１３は、その厚みが第１ソール本体１２の厚みよりも小さくなるように形成されている。第１連結部１３は、側面視において第１ソール本体１２の上面に対し段差状に形成されている。具体的に、第１連結部１３の上面は、第１ソール本体１２の上面よりも下方に位置している。第１連結部１３の下面は、第１ソール本体１２の下面と面一となっている。
【００３８】
図３〜図５に示すように、第１連結部１３には、孔部１４が設けられている。孔部１４は、後述する連結軸３０が連結されるためのものである。孔部１４は、第１連結部１３の上下方向に沿って貫通形成されている。孔部１４は、第１連結部１３において略中央に配置されている。孔部１４は、底面視で円形状に形成されている。そして、孔部１４は、第１アウトソール部１１により下方から覆われている（図４参照）。
【００３９】
孔部１４は、その上側の開口部１４ａが狭くなっている。上側の開口部１４ａは、後述する連結軸３０の軸部３０ａを上下方向に沿って挿通される。上側の開口部１４ａは、孔部１４における略中央に配置されている。上側の開口部１４ａの直径は、後述する連結軸３０の軸部３０ａの直径よりも大きくなるように形成されている。また、上側の開口部１４ａの直径は、後述する連結軸３０の抜け止め部３０ｂの直径よりも小さくなるように形成されている。
【００４０】
（第２ソール部）
図１〜図５に示すように、第２ソール部２０は、第１ソール部１０よりも後方に配置されている。第２ソール部２０は、例えば、着用者の足の中足部から後足部に亘る範囲に対応して配設されている。
【００４１】
第２ソール部２０は、第２アウトソール部２１を有している。第２アウトソール部２１は、第１アウトソール部１１と同様に、高硬度の硬質弾性部材で構成されている。なお、第２アウトソール部２１は、第１アウトソール部１１の材料と同じ材料により構成されていてもよい。あるいは、第２アウトソール部２１は、第１アウトソール部１１の材料と異なる材料により構成されていてもよい。
【００４２】
第２ソール部２０は、第２ソール本体２２を有している。第２ソール本体２２は、第１ソール本体１２と同様に、軟質の弾性材により構成されている。なお、第２ソール本体２２は、第１ソール本体１２の材料と同じ材料により構成されていてもよい。あるいは、第２ソール本体２２は、第１ソール本体１２の材料と異なる材料により構成されていてもよい。
【００４３】
第２ソール本体２２は、第２アウトソール部２１の上側に積層配置されている。第２ソール本体２２の上面は、着用者の足裏において中足部から後足部に亘る範囲を支持するための足裏支持面の一部として構成されている。
【００４４】
第２ソール部２０は、第２連結部２３を有している。第２連結部２３は、第２ソール本体２２の前部に設けられている。第２連結部２３は、第２ソール本体２２と一体形成されている。なお、第２連結部２３は、第１連結部１３の材料と同じ材料により構成されていてもよい。あるいは、第２連結部２３は、第１連結部１３の材料と異なる材料により構成されていてもよい。
【００４５】
第２連結部２３は、その厚みが第２ソール本体２２の厚みよりも小さくなるように形成されている。第２連結部２３は、側面視において第２ソール本体２２の下面に対し段差状に形成されている。具体的に、第２連結部２３の下面は、第２ソール本体２２の下面よりも上方に位置している。第２連結部２３の上面は、第１ソール本体１２の上面および第２ソール本体２２の上面と面一になっている。すなわち、第２連結部２３の上面は、着用者の足裏の一部を支持するための足裏支持面の一部として構成されている。
【００４６】
図４に示すように、第２連結部２３には、固定穴２４が設けられている。固定穴２４は、第２連結部２３の下面から上方に向かって有底状に形成されている。固定穴２４は、底面視で円形状に形成されている。固定穴２４は、第２連結部２３の略中央に配置されている。
【００４７】
（連結軸）
ソール構造１は、連結軸３０を備えている。連結軸３０は、第１連結部１３および第２連結部２３を連結するためのものである。
【００４８】
図３〜図５に示すように、連結軸３０は、第１連結部１３および第２連結部２３の重なった位置において、上下方向に沿うように設けられている。図４に示すように、連結軸３０は、軸部３０ａおよび抜け止め部３０ｂを有している。
【００４９】
軸部３０ａは、上下方向に延びる柱状に形成されている。軸部３０ａは、円柱状に形成されている。軸部３０ａの下部は、第１連結部１３の孔部１４の開口部１４ａに挿通されている。軸部３０ａの上部は、例えば接着剤により第２連結部２３の固定穴２４に固着されている。
【００５０】
抜け止め部３０ｂは、例えば略円盤状に形成されている。抜け止め部３０ｂは、その直径が軸部３０ａの直径よりも大きくなるように形成されている。抜け止め部３０ｂは、軸部３０ａと一体形成されている。抜け止め部３０ｂは、軸部３０ａが孔部１４の開口部１４ａに挿通された状態で孔部１４に収容されている。また、抜け止め部３０ｂの上面は、孔部１４の開口部１４ａの下部と当接している。
【００５１】
第１連結部１３および第２連結部２３は、互いに上下方向に重った状態で連結軸３０により連結されている。具体的に、第１連結部１３および第２連結部２３は、第１連結部１３の上面と第２連結部２３の下面とが上下方向に対向した状態となるように連結されている。そして、第１連結部１３および第２連結部２３の各々は、連結軸３０の軸部３０ａを中心として足幅方向に回動するように構成されている（図５の実線および仮想線を参照）。
【００５２】
なお、第１連結部１３の上面と第２連結部２３の下面とは、互いに接触していてもよい。かかる接触状態において、第１連結部１３の上面と第２連結部２３の下面との間には、潤滑油などが塗布されているのが好ましい。この潤滑油により、第１連結部１３の上面と第２連結部２３の下面との間に過度な摩擦力が生じることを抑制することが可能となる。
【００５３】
（アッパー）
図１および図２に示すように、シューズＳは、着用者の足を覆うためのアッパー２を備えている。アッパー２は、ソール構造１に取り付けられている。アッパー２は、例えば、編物、織物、不織布、合成皮革、人工皮革、天然皮革などにより構成されている。アッパー２の上部には、着用者の足を挿入するための足挿入部２ａが設けられている。図２に示すように、アッパー２は、伸縮可能な伸縮部２ｂと、第１固定部２ｃと、第２固定部２ｄとを有している。
【００５４】
伸縮部２ｂは、アッパー２において、第１連結部１３と第２連結部２３とが上下方向に
重なる位置に対応する位置に配置されている。
【００５５】
第１固定部２ｃは、アッパー２において、第１連結部１３に対応する位置よりも前方に
配置されている。第１固定部２ｃは、例えば紐材などの締結部材または接着剤により第１ソール本体１２の周縁部に固着されている。
【００５６】
第２固定部２ｄは、アッパー２において、第２連結部２３に対応する位置よりも後方に配置されている。第２固定部２ｄは、例えば紐材などの締結部材または接着剤により第２ソール本体２２の周縁部に固着されている。
【００５７】
（ストッパ機構）
図５に示すように、ソール構造１は、第１ソール部１０および第２ソール部２０が互いに当接することにより連結軸３０を中心として回動する範囲が制限されるストッパ機構ＳＴ１，ＳＴ２を備えている。具体的に、第１ソール本体１２の後側の端部ＳＴ１（段差状に形成された部分）および第２連結部２３の前側の端部ＳＴ２は、第１ソール部１０が回動する際に、互いに当接するように形成されている。すなわち、第１ソール本体１２の後側の端部ＳＴ１および第２連結部２３の前側の端部ＳＴ２は、第１ソール部１０の回動する範囲を制限するストッパ機構ＳＴ１，ＳＴ２を構成している。
【００５８】
（ソール構造およびアッパーの各動作）
次に、実施形態１に係るソール構造１およびアッパー２の各動作について説明する。
【００５９】
図４に示した状態において、例えば着用者の足が、シューズＳの形状と比較して内甲側へ大きく曲がった形状を有する場合、着用者がシューズＳを履いたときに、着用者の足の形状に応じてアッパー２の第１固定部２ｃがシューズＳの内甲側に向かって移動する。これにともなって、シューズＳ内甲側に向かう外力が、アッパー２を介して第１ソール本体１２に伝わるようになる。そして、前記外力により、第１ソール部１０が第２ソール部２０に対して連結軸３０を中心として内甲側に回動するようになる（図５の実線を参照）。
【００６０】
また、図５に示すように、ソール構造１では、第１連結部１３および第２連結部２３が上下方向に重なった状態を維持しながら、第１ソール部１０が第２ソール部２０に対して足幅方向に回動するように構成されている。
【００６１】
また、図５に示すように、第１ソール部１０が第２ソール部２０に対して回動する範囲は、第１ソール本体１２の後側の端部ＳＴ１と第２連結部２３の前側の端部ＳＴ２との当接により制限される。
【００６２】
［実施形態１の作用効果］
以上のように、実施形態１に係るソール構造１では、第１ソール部１０が、連結軸３０を中心として第２ソール部２０に対し足幅方向に回動可能となっている。このため、着用者の足が足幅方向に曲がった形状を有している場合であっても、ソール構造１は、第１ソール部１０の回動によって、着用者の足の形状に抵抗なく追従する。その結果、シューズＳが着用者の足にぴったり合うようになり、かつ、着用者がシューズＳによる圧迫感を感じないようにすることができる。
【００６３】
また、第１ソール部１０は、第１連結部１３および第２連結部２３が上下方向に重なった状態を維持しながら回動する。このため、第１ソール部１０が足幅方向に回動した状態であっても、第１ソール部１０と第２ソール部２０との間に隙間が生じにくくなる。このため、路面または地面から異物や水などが浸入しにくくなる。その結果、着用者が安全かつ快適にシューズＳを着用することができる。
【００６４】
また、ソール構造１は、連結軸３０を中心として回動する範囲を制限するストッパ機構ＳＴ１，ＳＴ２を備えているので、第１ソール部１０が回動する範囲が制限される。このため、シューズＳが安定して履きやすくなる。また、ストッパ機構ＳＴ１，ＳＴ２は、第１ソール部１０および第２ソール部２０が互いに当接することにより回動する範囲を制限するので、構成がシンプルである。従って、シンプルな構成によって、着用者が快適にシューズＳを履くことができる。
【００６５】
以下、実施形態２〜４について説明する。なお、以下では、実施形態１と同じ構成については、説明を省略する場合がある。
【００６６】
＜実施形態２＞
図６〜図９は、本発明の実施形態２に係るソール構造１を示している。
【００６７】
図６〜図９に示すように、第１ソール部１０の第１連結部１３は、足長方向に延びる第１長孔部１５を有している。第１長孔部１５は、連結軸３０が連結されるためのものである。第１長孔部１５は、第１連結部１３の上下方向に沿って貫通形成されている。第１長孔部１５は、足幅方向よりも足長方向に長くなるよう形成されている。第１長孔部１５は、第１連結部１３における足幅方向略中央に配置されている。そして、第１長孔部１５は、第１アウトソール部１１により下方から覆われている（図７参照）。
【００６８】
第１長孔部１５は、その上側の開口部１５ａが狭くなっている。上側の開口部１５ａは、連結軸３０の軸部３０ａを上下方向に沿って挿通させるためのものである。上側の開口部１５ａは、第１長孔部１５における足幅方向略中央に配置されている。上側の開口部１５ａは、足幅方向よりも足長方向に長くなるよう形成されている。上側の開口部１５ａは、足幅方向の幅が連結軸３０の軸部３０ａの直径よりも大きくなるように形成されている。また、上側の開口部１５ａは、足幅方向の幅が連結軸３０の抜け止め部３０ｂの直径よりも小さくなるように形成されている。
【００６９】
連結軸３０は、第１長孔部１５に連結されている。具体的に、連結軸３０の軸部３０ａの下部は、第１長孔部１５の開口部１５ａに挿通されている。抜け止め部３０ｂは、軸部３０ａが第１長孔部１５の開口部１５ａに挿通された状態で第１長孔部１５に収容されている。また、抜け止め部３０ｂの上面は、第１長孔部１５の上側の開口部１５ａの下部と当接している。
【００７０】
実施形態１と同様に、第１連結部１３および第２連結部２３の各々は、連結軸３０の軸部３０ａを中心として足幅方向に回動するように構成されている（図８の仮想線を参照）。
【００７１】
（ソール構造およびアッパーの各動作）
次に、実施形態２に係るソール構造１およびアッパー２の各動作について説明する。
【００７２】
図６に示すように、足長方向において第１ソール本体１２および第２ソール本体２２が互いに接近している状態では、第１連結部１３の略全体と第２連結部２３の略全体とが上下方向に重なるようになっている。
【００７３】
図６に示した状態において、例えば着用者の足がシューズＳと比較して大きい場合、着用者がシューズＳを履いたときに、着用者の足の大きさに応じてアッパー２の伸縮部２ｂが伸長しかつ第１固定部２ｃがシューズＳの前方に向かって移動する。これにともなって、シューズＳの前方に向かう外力が第１固定部２ｃを介して第１ソール本体１２に伝わるようになる。そして、前記外力により、第１ソール本体１２が第２ソール本体２２に対して足長方向に互いに離反するとともに、第１長孔部１５が連結軸３０に対して足長方向にスライドするようになる（図８の実線を参照）。
【００７４】
また、例えば着用者の足が、シューズＳと比較して大きいことに加え、シューズＳの形状と比較して内甲側へ大きく曲がった形状を有する場合、着用者がシューズＳを履いたときに、着用者の足の大きさおよび形状に応じてアッパー２の伸縮部２ｂが伸長し、かつ第１固定部２ｃがシューズＳの前方かつ内甲側に向かって移動する。これにともなって、シューズＳの前方および内甲側に向かう外力が、アッパー２を介して第１ソール本体１２に伝わるようになる。そして、前記外力により、第１ソール本体１２が第２ソール本体２２に対して足長方向に互いに離反するとともに、第１長孔部１５が連結軸３０に対して足長方向にスライドし、同時に、第１ソール部１０が第２ソール部２０に対して連結軸３０を中心として内甲側に回動するようになる（図８の仮想線を参照）。
【００７５】
［実施形態２の作用効果］
以上のように、実施形態２に係るソール構造１では、連結軸３０は足長方向に延びる第１長孔部１５に連結されており、第１長孔部１５は連結軸３０に対してスライド可能となっている。このため、第１ソール部１０は、第２ソール部２０に対して足長方向に移動可能となっている。従って、ソール構造１は、第１ソール部１０が連結軸３０を中心に回動することに加え、足長方向に移動するので、より動きの自由度が高く、着用者の足の形状に抵抗なく追従する。その結果、シューズＳが着用者の足にぴったり合うようになり、かつ、着用者がシューズＳによる圧迫感を感じないようにすることができる。
【００７６】
＜実施形態２の変形例＞
前記実施形態２では、連結軸３０は足長方向にのみスライド可能な形態を示したが、この形態に限られない。すなわち、図１０〜図１３に示した変形例のように、連結軸３０が足幅方向にもスライド可能であってもよい。
【００７７】
図１０〜図１３に示すように、第２ソール部２０の第２連結部２３は、足幅方向に延びる第２長孔部２５を有している。第２長孔部２５は、連結軸３０が連結されるためのものである。第２長孔部２５は、第２連結部２３の上下方向に沿って貫通形成されている。第２長孔部２５は、足長方向よりも足幅方向に長くなるよう形成されている。第２長孔部２５は、第２連結部２３における前端部寄りに配置されている。そして、第２長孔部２５は、インソールなどにより上方から覆われている（図１１参照）。なお、インソールが設けられていない場合は、別途、カバー部材（図示しない）によって覆われていてもよい。
【００７８】
第２長孔部２５は、その下側の開口部２５ａが狭くなっている。この下側の開口部２５ａは、連結軸３０の軸部３０ａを上下方向に沿って挿通させるためのものである。下側の開口部２５ａは、第２長孔部２５における足長方向略中央に配置されている。下側の開口部２５ａは、足長方向よりも足幅方向に長くなるよう形成されている。下側の開口部２５ａは、足長方向の幅が連結軸３０の軸部３０ａの直径よりも大きくなるように形成されている。また、下側の開口部２５ａは、足長方向の幅が後述する後述する連結軸３０の上側の抜け止め部３０ｃの直径よりも小さくなるように形成されている。
【００７９】
連結軸３０は、第２長孔部２５に連結されている。具体的に、図１１に示すように、連結軸３０は、第２長孔部２５と連結するために、上側の抜け止め部３０ｃを有している。上側の抜け止め部３０ｃは、例えば略円盤状に形成されている。上側の抜け止め部３０ｃは、その直径が軸部３０ａの直径よりも大きくなるように形成されている。抜け止め部３０ｃは、軸部３０ａと一体形成されている。上側の抜け止め部３０ｃは、軸部３０ａが第２長孔部２５の開口部２５ａに挿通された状態で第２長孔部２５に収容されている。また、上側の抜け止め部３０ｃの下面は、第２長孔部２５の開口部２５ａの上部と当接している。
【００８０】
第２長孔部２５は、前記実施形態２と同様に、連結軸３０に対してスライド可能となっている。
【００８１】
［実施形態２の変形例の作用効果］
この変形例では、連結軸３０は足幅方向に延びる第２長孔部２５に連結されており、第２長孔部２５は連結軸３０に対してスライド可能となっている。このため、第１ソール部１０は、第２ソール部２０に対して足幅方向に移動可能となっている。従って、ソール構造１は、第１ソール部１０が連結軸３０を中心に回動することおよび足長方向に移動することに加え、第２長孔部２５のスライドによって足幅方向に移動するので、より動きの自由度が高く、着用者の足の形状に抵抗なく追従する。その結果、シューズＳが着用者の足にぴったり合うようになり、かつ、着用者がシューズＳによる圧迫感を感じないようにすることができる。
【００８２】
＜実施形態３＞
図１４〜図１６は、本発明の実施形態３に係るソール構造１を示している。
【００８３】
図１４〜図１６に示すように、連結軸３０は、第１連結部１３および第２連結部２３の重なった位置において、足幅方向の内甲寄りの位置に設けられている。そして、第２ソール部２０の第２連結部２３は、平面視で連結軸３０の位置から足幅方向の外甲側に離間した位置に突起部２６を有している。突起部２６は、第２連結部２３の下方に突出している。
【００８４】
第１ソール部１０の第１連結部１３は、突起部２６をガイドする第３長孔部１６（ガイド部）を有している。第３長孔部１６は、平面視で、連結軸３０の位置から足幅方向の外甲側に離間した位置に円弧状に延びている。第３長孔部１６の幅は、突起部２６の先端部の直径より大きく形成されている。第３長孔部１６は、突起部２６の先端部に嵌合されている。そして、第１ソール部１０が回動することにより突起部２６が第３長孔部をスライドするようになっている。
【００８５】
第３長孔部１６は、前端部１６ａおよび後端部１６ｂを有している。第１ソール部１０が回動する際に、突起部２６は、この両端部１６ａ，１６ｂと当接して、第１ソール部１０が回動する範囲が制限される（図１５および図１６参照）。すなわち、突起部２６及び第３長孔部１６の両端部１６ａ，１６ｂは、実施形態１に記載のストッパ機構の別形態である。
【００８６】
なお、ストッパ機構を構成するためには、第３長孔部１６の代わりに、第１連結部１３の上面に開口する溝を設けてもよい。
【００８７】
［実施形態３の作用効果］
以上のように、実施形態３に係るソール構造１では、突起部２６が、第３長孔部１６に嵌合し、第１ソール部１０の回動にともなって、突起部２６が第３長孔部１６をスライドする。そして、突起部２６が第３長孔部１６の両端部１６ａ，１６ｂと当接する。すなわち、第３長孔部１６の両端部１６ａ，１６ｂが突起部２６と当接して突起部２６のスライドに対するストッパとなり、第１ソール部１０が回動する範囲が制限される。すなわち、突起部２６及び第３長孔部１６の両端部１６ａ，１６ｂは、第１ソール部１０の回動を制限するストッパ機構を構成している。このストッパ機構によって、シューズＳが安定して履きやすくなる。その結果、シンプルな構成によって、着用者がシューズＳを快適に履くことができる。
【００８８】
＜実施形態４＞
図１７〜図１９は、本発明の実施形態４に係るソール構造１を示している。
【００８９】
図１７〜図１９に示すように、ソール構造１は、第１連結部１３に設けられた第１アーム４０と、第２連結部２３に設けられた第２アーム５０とを備えている。
【００９０】
また、ソール構造１は、第１連結軸３１と、第２連結軸３２と、第３連結軸３３とを備えている。
【００９１】
第１アーム４０の一端部４０ａは、第１連結軸３１を中心に第１連結部１３に回動可能に連結され、第２アーム５０の一端部５０ａは、第２連結軸３２を中心に第２連結部２３に回動可能に連結されている。そして、第１アーム４０の他端部４０ｂおよび第２アーム５０の他端部５０ｂの各々は、第３連結軸３３を中心に回動可能に連結されている。
【００９２】
すなわち、第１ソール部１０は、各連結軸３１，３２，３３を中心として、第２ソール部２０に対して回動可能となっている。
【００９３】
また、図１７〜図１９に示すように、第１アーム４０および第２アーム５０は、各連結軸３１，３２，３３を中心とした両アーム４０，５０の回動により互いに上下方向に重なった第１状態と互いに反対方向を向いた第２状態との間で変位可能となっている。
【００９４】
図１７に示すように、足長方向において第１ソール本体１２および第２ソール本体２２が互いに接近している状態では、第１アーム４０および第２アーム５０の各々は、上下方向に重なった状態となっている（第１状態）。
【００９５】
図１７の状態において、第１ソール本体１２が第２ソール本体２２に対して相対的に足長方向に離反するときは、第１アーム４０および第２アーム５０は、互いに重なった第１状態から、各連結軸３１，３２，３３を中心とした回動により両アーム４０，５０のなす角度が大きくなり（図１８参照）、両アーム４０，５０が互いに反対方向を向いた状態（第２状態）となるように変位する（図１９参照）。
【００９６】
前記の動きとは逆に、図１９の状態において、第１ソール部１０が第２ソール部２０に対して相対的に足長方向に接近するときは、第１アーム４０および第２アーム５０は互いに反対方向を向いた第２状態から、両アーム４０，５０のなす角度が小さくなり（図１８参照）、両アーム４０，５０が互いに重なった第１状態に変位する（図１７参照）。
【００９７】
以上のように、第１アーム４０および第２アーム５０がそれぞれ回動することにより、第１ソール部１０は、第２ソール部２０に対して足長方向に移動可能となっている。
【００９８】
［実施形態４の作用効果］
以上のように、実施形態４に係るソール構造１では、第１アーム４０の一端部４０ａは第１連結軸３１を中心として第１連結部１３に回動可能に連結され、第２アーム５０の一端部５０ａは第２連結軸３２を中心として第２連結部２３に回動可能に連結され、さらに、第１アーム４０および第２アーム５０の他端部の各々４０ｂ，５０ｂは、第３連結軸３３を中心として回動可能に連結されている。このため、第１ソール部１０は、第２ソール部２０に対して３つの連結軸３１，３２，３３を中心に回動することができる。
【００９９】
また、第１ソール部１０は、第１アーム４０の第１連結軸３１を中心とした回動、第２アーム５０の第２連結軸３２を中心とした回動、ならびに第１アーム４０および第２アーム５０の第３連結軸３３を中心とした回動の少なくとも一つによって、第２ソール部２０に対して、足長方向に移動して離反しかつ接近することができる。
【０１００】
このように、実施形態４に係るソール構造１は、第１ソール部１０が１つの連結軸のみを中心に回動可能な構成と比較してより自在に変形できるようになり、動きの自由度が高く、着用者の足の形状に抵抗なく追従する。その結果、シューズＳが着用者の足にぴったり合うようになり、かつ、着用者がシューズＳによる圧迫感を感じないようにすることができる。
【０１０１】
＜その他の実施形態＞
前記各実施形態では、第１ソール部１０が第２ソール部２０に対して回動しおよび移動する形態を示したが、この形態に限られない。すなわち、第２ソール部２０が第１ソール部１０に対して回動し、移動してもよい。
【０１０２】
また、前記各実施形態では、ソール構造１は、足長方向において２つに分割された形態を示したが、この形態に限られない。すなわち、ソール構造１は、足長方向において少なくとも２つに分割されるように構成されていればよい。
【０１０３】
また、前記各実施形態では、第１連結部１３および第２連結部２３は、第１連結部１３の上面と第２連結部２３の下面とが上下方向に対向した状態となるように連結された形態を示したが、この形態に限られない。すなわち、第２連結部２３の上面と第１連結部１３の下面とが上下方向に対向した状態となるように構成してもよい。
【０１０４】
また、前記各実施形態では、第１ソール本体１２の下面と第１連結部１３の下面とが面一となる形態を示したが、この形態に限られない。すなわち、第１ソール本体１２の下面と第１連結部１３の下面とが面一とならないように構成してもよい。
【０１０５】
また、実施形態２では、足長方向に移動する第１ソール部１０とともに第１長孔部１５が移動して、連結軸３０が第１長孔部１５をスライドする形態を示したが、この形態に限られない。すなわち、足長方向に移動する第１ソール部１０とともに連結軸３０が移動して、連結軸３０が第１長孔部１５をスライドするように構成してもよい。
【０１０６】
また、実施形態３では、回動する第１ソール部１０とともに第３長孔部１６が移動して、突起部２６が第３長孔部１６に対してスライドする形態を示したが、この形態に限られない。すなわち、回動する第１ソール部１０とともに突起部２６が移動して、突起部２６が第３長孔部１６に対してスライドするように構成してもよい。
【０１０７】
また、実施形態４では、第１ソール部１０が第２ソール部２０に対して最も接近したときの第１アーム４０および第２アーム５０の状態として、両アーム４０，５０が上下方向に重なって両アーム４０，５０のなす角度が０度となる状態となる形態を示したが、この形態に限られない。すなわち、第１ソール部１０が第２ソール部２０に対して最も接近したとき、両アーム４０，５０のなす角度が０度より大きくてもよく、例えば、両アーム４０，５０のなす角度を９０度としてもよい。
【０１０８】
以上、本発明についての実施形態を説明したが、本発明は上述の実施形態のみに限定さ
れず、発明の範囲内で種々の変更が可能である。
【産業上の利用可能性】
【０１０９】
本発明は、例えばランニング用や各種競技用のスポーツシューズ、日常使用のスニーカーおよびリハビリ用シューズのソール構造およびそれを用いたシューズとして産業上の利用が可能である。
【符号の説明】
【０１１０】
Ｓ：シューズ
１：ソール構造
１０：第１ソール部 
１２：第１ソール本体 
ＳＴ１：第１ソール本体の後側の端部（ストッパ機構）
１３：第１連結部
１５：第１長孔部 
１６：第３長孔部（ガイド部）
１６ａ：第３長孔部の前端部（ストッパ機構）
１６ｂ：第３長孔部の後端部（ストッパ機構）
２０：第２ソール部 
２２：第２ソール本体 
２３：第２連結部 
ＳＴ２：第２連結部の前側の端部（ストッパ機構）
２５：第２長孔部 
２６：突起部（ストッパ機構）
３０：連結軸 
３１：第１連結軸 
３２：第２連結軸 
３３：第３連結軸 
４０：第１アーム 
４０ａ：第１アームの一端部 
４０ｂ：第１アームの他端部 
５０：第２アーム 
５０ａ：第２アームの一端部 
５０ｂ：第２アームの他端部 
【図１】
2020156790.tif 000003
【図２】
2020156790.tif 000004
【図３】
2020156790.tif 000005
【図４】
2020156790.tif 000006
【図５】
2020156790.tif 000007
【図６】
2020156790.tif 000008
【図７】
2020156790.tif 000009
【図８】
2020156790.tif 000010
【図９】
2020156790.tif 000011
【図１０】
2020156790.tif 000012
【図１１】
2020156790.tif 000013
【図１２】
2020156790.tif 000014
【図１３】
2020156790.tif 000015
【図１４】
2020156790.tif 000016
【図１５】
2020156790.tif 000017
【図１６】
2020156790.tif 000018
【図１７】
2020156790.tif 000019
【図１８】
2020156790.tif 000020
【図１９】
2020156790.tif 000021